(57)【特許請求の範囲】
【請求項１】
キャスターが取り付けられた支持枠と、該支持枠の両端部に立設された左右の支柱と、該各支柱間に対し水平に取り付けられた天板とを備えたカート本体で構成されるスタッキング可能な医療用カートであって、
前記支持枠を、前記医療用カートのスタッキング方向の上流側から下流側に向けて徐々に幅狭となる形状に形成し、
前記天板の一端側を、前記左右の支柱に対し上下回動自在に枢着し、かつ、該天板の他端側を、前記天板の枢着部を中心として水平姿勢と傾斜姿勢とに上下揺動可能に設け、
前記天板の枢着側端部及び揺動側端部を、複数台の前記医療用カートをスタッキング方向に対しスタッキングする際において前記天板の揺動側端部が上方に向けて回動ガイドされる形状に形成し、
前記天板の下方に、該天板の全長よりも短尺寸法に形成した棚板を配置し、
前記棚板の一端側を、前記天板より下方の左右の支柱に対し上下回動自在に枢着し、
前記天板及び棚板の他端側を連結部材にて一体的に連結するとともに、
前記水平姿勢に回動した前記天板の前記連結部材の下端部と対向する位置に、該連結部材の下端部が垂直に当接され前記天板を水平姿勢に支持する支持部材を設けた
医療用カート。
【請求項２】
前記天板の枢着側端部を、該天板の枢着側端部に対し前記スタッキング方向の上流側から当接される天板の揺動側端部が上方に向けて突上げられる滑らかな曲面形状に形成し、
前記天板の揺動側端部を、該天板の揺動側端部に対し前記スタッキング方向の下流側から当接される天板の枢着側端部に乗り上げが許容される滑らかな曲面形状に形成した
請求項１に記載の医療用カート。
【請求項３】
前記支柱の上端側を、前記スタッキング方向の上流側から下流側に向けて徐々に高くなるように傾斜し、該支柱の上端部に、前記医療用カートを所望する走行方向に操舵するためのハンドル部を設けた
請求項１又は２に記載の医療用カート。
【請求項４】
複数台の前記医療用カートをスタッキング方向に対しスタッキングする際において、
前記スタッキング方向の上流側からスタッキングされる医療用カートの天板と、該スタッキング方向の下流側からスタッキングされる医療用カートの天板との間に、該各医療用カートをスタッキングした状態に保持するスタッキング保持手段を設けた
請求項１〜３のいずれか一つに記載の医療用カート。
【請求項５】
前記天板に、
外部電源から供給される電力を所定の電圧に変換するトランスと、該トランスにて所定の電圧に変換された電力を電気製品に供給するコードとを備え、
前記コードを、前記天板に形成したコード引出し孔に挿通して、該天板上に載置された電気製品に対し接続が許容される長さ引き出し可能に設けた
請求項１〜４のいずれか一つに記載の医療用カート。
【請求項６】
前記天板に、
前記トランスを介して前記コードに接続され、かつ、前記外部電源に対し接続される電源コードを備え、
前記電源コードを、前記天板に形成したコード出入口に挿通して、前記外部電源に対し接続が許容される長さ引き出し可能に設けた
請求項５に記載の医療用カート。
【発明の詳細な説明】
【技術分野】
【０００１】
この発明は、例えば病院、診療所等の医療機関において、患者に関する医療データを管理するノート型パーソナルコンピューター、或いは、注射器、体温計、血圧計、輸液器具などの医療器具、或いは、消毒液、医薬品などの医療用品、医療行為に用いられる各種物品を病室や手術室等へ運搬する際に用いられる医療用カートに関する。
【背景技術】
【０００２】
従来、上述の医療用カートとしては、例えば患者に関する医療データを管理するノート型パーソナルコンピューター（以下、ノートパソコンと略記する）を載置するためのパソコントレイを備えたカートが提案されている（特許文献１参照）。  
このカートは、本体フレームに対し回動自在に枢着されたトレイ支持具を上方に回動し、ソコントレイの遊端側を一旦持ち上げた後、トレイ支持具の上端をパソコントレイ下面に固定した受け治具に係止して、パソコントレイを略水平に支持する。また、パソコントレイの遊端側を一旦持ち上げ、トレイ支持具の上端をパソコントレイ下面の受け治具から離脱して、パソコントレイを略垂直に垂下する構成である。
【０００３】
しかし、複数台のカートを同一方向に向けてスタッキングする場合、パソコントレイを略水平に支持したままでは、カートをスタッキングすることができないため、パソコントレイを略水平から略垂直に回動操作しなければならない。つまり、パソコントレイを略水平に支持したり、略垂直に垂下したりする際、トレイ支持具を人の手で回動操作しなければならず、パソコントレイを略水平及び略垂直に回動する作業に手間が掛かるという問題がある。
【先行技術文献】
【特許文献】
【０００４】
【特許文献１】特開２００５−４６４１２号公報
【発明の概要】
【発明が解決しようとする課題】
【０００５】
この発明は、複数台の医療用カートを同一方向に整列してスタッキングすることができ、かつ、限られた小さな保管スペース内に一括して保管することができる医療用カートを提供することを目的とする。
【課題を解決するための手段】
【０００６】
この発明は、キャスターが取り付けられた支持枠と、該支持枠の両端部に立設された左右の支柱と、該各支柱間に対し水平に取り付けられた天板とを備えたカート本体で構成されるスタッキング可能な医療用カートであって、前記支持枠を、前記医療用カートのスタッキング方向の上流側から下流側に向けて徐々に幅狭となる形状に形成し、前記天板の一端側を、前記左右の支柱に対し上下回動自在に枢着し、かつ、該天板の他端側を、前記天板の枢着部を中心として水平姿勢と傾斜姿勢とに上下揺動可能に設け、前記天板の枢着側端部及び揺動側端部を、複数台の前記医療用カートをスタッキング方向に対しスタッキングする際において前記天板の揺動側端部が上方に向けて回動ガイドされる形状に形成し、前記天板の下方に、該天板の全長よりも短尺寸法に形成した棚板を配置し、前記棚板の一端側を、前記天板より下方の左右の支柱に対し上下回動自在に枢着し、前記天板及び棚板の他端側を連結部材にて一体的に連結するとともに、前記水平姿勢に回動した前記天板の前記連結部材の下端部と対向する位置に、該連結部材の下端部が垂直に当接され前記天板を水平姿勢に支持する支持部材を設けた医療用カートであることを特徴とする。
【０００７】
上述の医療用カートをスタッキングする場合、例えばスタッキング方向の上流側に配置した医療用カートと、下流側に配置した医療用カートとをスタッキング方向に相対移動して、上流側天板の揺動側端部と下流側天板の枢着側端部とをスタッキング方向に当接する。これにより、上流側天板の揺動側端部を下流側天板の枢着側端部に乗り上げさせながら上方に回動し、かつ、上流側天板を下流側天板上に重ね合わせる。
【０００８】
すなわち、各医療用カートの各天板を上下に重ね合わせることで、複数台の医療用カートを並列配置するのに比べて、各医療用カートの天板を上下に重なり合わせた寸法だけ保管スペースを小さくすることができる。  
この結果、複数台の医療用カートを同一方向に整列してスタッキングすることができ、かつ、限られた小さな保管スペース内に一括して保管することができる。
【０００９】
また、医療用カートのスタッキングを解除する場合、上流側の医療用カートを下流側の医療用カートから分離される方向に相対移動させて引き抜いた際、上流側天板は下流側天板から滑り落ちながら水平姿勢に回動復帰する。つまり、天板は自重により水平姿勢に回動復帰するので、例えば看護婦や利用者の手で天板を水平姿勢に回動する手間及び作業が省ける。
【００１０】
さらに、上述の天板が水平姿勢に回動復帰した際、天板及び棚板を連結する左右の連結部材の下端部が、該連結部材の下端部と対向する位置に配置した支持部材の上端部に対し垂直に当接される。 
これにより、天板及び棚板が水平姿勢に回動規制されるので、例えばノート型パーソナルコンピューターや医療器具、医療用品等を載置するのに適した安定した姿勢を維持することができる。
【００１１】
この結果、例えば患者の診察や検査などの検診結果の記録、医療日誌の更新などノート型パーソナルコンピューターの操作、或いは、医療器具、医療用品等を取り扱う作業が天板上にて安定して行える。
【００１２】
また、連結部材を連結した天板及び棚板の枢着部分が、支持部材を上方に向けて延長した直線上に位置するので、天板及び棚板に付加される全重量が、左右の棚受支柱によって受け止められる。 
これにより、例えばノートパソコン等の載置物が安定した姿勢に載置されるだけでなく、該ノートパソコンより重い載置物を載置することが可能な構造的強度が得られる。
【００１３】
この発明の態様として、前記天板の枢着側端部を、該天板の枢着側端部に対し前記スタッキング方向の上流側から当接される天板の揺動側端部が上方に向けて突上げられる滑らかな曲面形状に形成し、前記天板の揺動側端部を、該天板の揺動側端部に対し前記スタッキング方向の下流側から当接される天板の枢着側端部に乗り上げが許容される滑らかな曲面形状に形成することができる。
【００１４】
上述の医療用カートをスタッキングする場合、スタッキング方向の上流側に配置した医療用カートの天板の滑らかな曲面に形成した揺動側端部と、下流側に配置した医療用カートの天板の滑らかな曲面に形成した枢着側端部とを当接して、上流側天板の揺動側端部を、下流側天板の枢着側端部に乗り上げさせながら上方に回動し、かつ、上流側天板を下流側天板上に重ね合わせる。
【００１５】
すなわち、各天板の滑らかな曲面に形成した枢着側端部と揺動側端部とを当接するので、各天板をスムースに重なり合わせることができる。  
この結果、複数台の医療用カートをスムースにスタッキングすることができる。
【００１６】
また、この発明の態様として、前記支柱の上端側を、前記カート本体の前部側から後部側に向けて徐々に高くなるように傾斜し、該支柱の傾斜側上端部に、前記医療用カートを所望する走行方向に操舵するためのハンドル部を設けることができる。
【００１７】
上述の医療用カートをスタッキングした際、各医療用カートの各ハンドル部が当接することがなく上下に重なり合うため、複数台の医療用カートのスタッキングが支障なく行える。
【００１８】
また、医療用カートの幅広側（前部側）から天板上に載置された例えばノートパソコンを操作する際、ノートパソコンを操作する手の肘が左右のハンドル部に当接するのを防止或いは回避することができる。  
この結果、天板上に載置されたノートパソコンの操作が支障なく行える。
【００１９】
また、この発明の態様として、複数台の前記医療用カートをスタッキング方向に対しスタッキングする際において、前記スタッキング方向の上流側からスタッキングされる医療用カートの天板と、該スタッキング方向の下流側からスタッキングされる医療用カートの天板との間に、該各医療用カートをスタッキングした状態に保持するスタッキング保持手段を設けることができる。
【００２０】
上述の医療用カートをスタッキング方向に相対移動させてスタッキングした際、例えば凹部と凸部を係合したり、マグネットと金属板を吸着する等のスタッキング保持手段によって各医療用カートをスタッキング状態に保持する。  
また、スタッキング状態の医療用カートを分離する場合、スタッキング保持手段による保持を解除するだけで、所望する台数の医療用カートを簡単に分離することができる。
【００２１】
これにより、スタッキング保持手段によって複数台の医療用カートをスタッキング状態に保持した際、そのスタッキング保持手段による保持を解除するまでは、医療用カートのスタッキング状態が勝手に解除されることがなく、医療用カートが分離してしまうことを防止できる。  
この結果、スタッキング状態の医療用カートを例えば看護婦や利用者の手で分離するまでは、スタッキング状態を維持したまま長期に亘り保管しておくことができる。
【００２２】
また、この発明の態様として、前記天板に、外部電源から供給される電力を所定の電圧に変換するトランスと、該トランスにて所定の電圧に変換された電力を電気製品に供給するコードとを備え、前記コードを、前記天板に形成したコード引出し孔に挿通して、該天板上に載置された電気製品に対し接続が許容される長さ引き出し可能に設けることができる。
【００２３】
上述のコードを、天板のコード引出し孔から該天板上に載置された電気製品に対し接続が許容される長さ引き出して、該天板上の電気製品に直接接続するので、コードの引き出し長さが短くて済む。このため、コードを必要以上に弛ませたり、垂れ下げることなく、所望する長さ引き出して電気製品に接続することができる。
【００２４】
この結果、天板上に配索されるコードの引き出し長さが短くて済み、コードの配索によって天板上での作業が妨げられることを防止でき、天板上を有効に活用することができる。  
また、例えば天板内部に収容されたバッテリーの電力を、上述のコードを介して電気製品に供給することも可能である。
【００２５】
さらに、コードを、例えば天板のコード引出し孔に挿入して該天板の内部或いは底面側に収容しておけば、医療用カートのスタッキング時において、上流側天板と下流側天板とを重ね合わせる際、コードが邪魔にならず、医療用カートのスタッキングが支障なく行える。
【００２６】
また、この発明の態様として、前記天板に、前記トランスを介して前記コードに接続され、かつ、前記外部電源に対し接続される電源コードを備え、前記電源コードを、前記天板に形成したコード出入口に挿通して、前記外部電源に対し接続が許容される長さ引き出し可能に設けることができる。
【００２７】
上述の電源コードを、天板のコード出入口から外部電源（家庭用のコンセント）に対し接続が許容される長さ引き出して、医療用カートを走行移動した場所の外部電源に接続する。また、天板に備えられたコードを、該天板上に載置された電気製品に接続する。
【００２８】
これにより、電源コードを介し外部電源から供給される電力を利用して、天板上に載置された電気製品を駆動することができる。  
この結果、例えばノート型パーソナルコンピューター等の電気製品に内蔵されたバッテリーの残量を気にすることなく、外部電源から供給される電力にて連続して駆動することができる。  
また、電源コードを、例えば天板のコード出入口に挿入して該天板の内部或いは底面側に収容しておけば、医療用カートのスタッキング時において、電源コードが邪魔にならず、医療用カートのスタッキングが支障なく行える。
【発明の効果】
【００２９】
この発明によれば、複数台の医療用カートを同一方向に整列してスタッキングすることができ、かつ、限られた小さな保管スペース内に一括して保管することができる。
【図面の簡単な説明】
【００３０】
【図１】走行移動可能な医療用カートの外観斜視図。
【図２】幅広側から見た医療用カートの正面図。
【図３】幅狭側から見た医療用カートの背面図。
【図４】図２の平面から見た医療用カートの平面図。
【図５】図２の底面から見た医療用カートの底面図。
【図６】図２の右側から見た医療用カートの右側面図。
【図７】図２の左側から見た医療用カートの左側面図。
【図８】図２の医療用カートのＡ−Ａ線矢視断面図。
【図９】図２の医療用カートのＢ−Ｂ線矢視断面図。
【図１０】医療用カートのスタッキング状態を示す右側面図。
【図１１】電源コードを天板に設けた医療用カートの外観斜視図。
【図１２】容器保持具を取り付けた医療用カートの正面図。
【図１３】図１２の医療用カートのＣ−Ｃ線矢視断面図。
【図１４】真っ直ぐな短尺の棚受支柱にて連結した医療用カートの右側面図。
【図１５】長尺の棚受支柱にて連結した医療用カートの右側面図。
【図１６】天板のみを上下回動自在に設けた医療用カートの右側面図。
【図１７】凹凸によってスタッキング状態を保持する医療用カートの拡大右側面図。
【図１８】マグネットによってスタッキング状態を保持する医療用カートの拡大右側面図。
【発明を実施するための形態】
【００３１】
この発明の一実施形態を以下図面に基づいて詳述する。  
図１は走行移動可能な医療用カート１０の外観斜視図、図２、図３は医療用カート１０の正面図と背面図、図４、図５は図２に示す医療用カート１０の平面図と底面図、図６、図７は図２に示す医療用カート１０の右側面図と左側面図、図８、図９は図２に示す医療用カート１０のＡ−Ａ線矢視断面図とＢ−Ｂ線矢視断面図、図１０は医療用カート１０のスタッキング状態を示す右側面図である。
【００３２】
本実施形態の医療用カート１０は、走行移動可能なキャスター付きカート本体２０と、カート本体２０の上段位置に架設したトレイ型を有する天板３０と、該カート本体２０の中段位置に架設した棚板４０と、該カート本体２０の下段位置に架設した棚板５０とで構成している（図１参照）。
【００３３】
カート本体２０は、図２〜図８に示すように、幅広側（図１中の左斜め下方）を正面として、平面から見て台形状に形成した支持枠２１（図５参照）と、支持枠２１の左右端部に対し真上方向に向けて垂直に固定した左右一対の支柱２２と、支持枠２１の左右端部上面に対し真上方向に向けて垂直に固定した左右一対の棚受支柱２３と、天板３０及び棚板４０を一体的に連結する左右一対の連結支柱２４と、支持枠２１の幅広側下面及び幅狭側下面に取り付けた複数のキャスター２５とで構成している。
【００３４】
支持枠２１は、医療用カート１０のスタッキング方向Ａの上流側と対応する幅広側（図１中の左斜め下方）から、下流側と対応する幅狭側（図１中の右斜め上方）に向けて徐々に幅狭となる形状に形成している（図５参照）。また、支持枠２１の幅広側は、利用者の歩行動作が許容される間隔に開角している。  
つまり、支持枠２１は、２台の医療用カート１０をスタッキング方向Ａに対しスタッキングする際（図１０参照）、該スタッキング方向Ａに対し重ね合わせが許容される大きさ及び形状に形成している。
【００３５】
支持枠２１は、幅狭側中央部に形成した中央枠部２１ａと、中央枠部２１ａの両端を幅広側に向けて所望する開角度に変形してなる左右枠部２１ｂとで構成している。また、左右枠部２１ｂの間は、幅狭側から幅広側に向けて徐々に幅広となる間隔に隔てている。
【００３６】
つまり、医療用カート１０の幅狭側（支持枠２１の中央枠部２１ａ側）を先頭として、医療用カート１０の幅広側に立った利用者が該医療用カート１０を所望する方向に走行移動する際、利用者の歩行動作が許容される間隔（足の前後動が妨げられない間隔）に離間している。  
また、医療用カート１０を走行移動する走行面と、下段位置に架設した棚板５０の下面との間には、利用者の歩行動作が許容される空間を確保している。
【００３７】
支柱２２は、支持枠２１の左右枠部２１ｂの開角側端部に対し真上方向に向けて垂直に立設している。また、後述する棚板４０，５０の間と対応する支柱２２，２２の間には、パイプ状の支持杆２７をカート本体２０の幅方向に向けて水平に架設している。  
これにより、支柱２２，２２を、下端側から上端側に向けて所定間隔を隔てて平行に立設している。
【００３８】
棚受支柱２３は、支柱２２の後方側に配置され、支持枠２１の左右端部上面に対し真上方向に向けて垂直に固定している。また、棚受支柱２３の上端部外周面は、連結板２３ａを介して支柱２２の中間部外周面に対し固定している。  
これにより、棚受支柱２３を支柱２２に対し所定間隔を隔てて平行に立設している（図６〜図９参照）。
【００３９】
さらに、中央枠部２１ａの両端部下面と、左右枠部２１ｂの端部に対し真上方向に向けて垂直に固定した支柱２２の下端部には、ストッパー機能付きキャスター２５を所望する方向（３３０度方向）に対して水平回動自在に取り付けている。
【００４０】
左右支柱２２の上端側には、医療用カート１０を所望する走行方向に操舵するためのハンドル部２６をそれぞれ形成している。
【００４１】
ハンドル部２６は、支柱２２の上端側を、スタッキング方向Ａの上流側と対応する幅広側（前部側）から、下流側と対応する幅狭側（後部側）に向けて徐々に高くなるように傾斜している。  
また、支柱２２の上端側外周面には、該上端側外周面全体が覆われる大きさ及び形状に形成した接触抵抗が大きい合成ゴム製のハンドルカバー２６ａを装着している。  
すなわち、２台の医療用カート１０をスタッキングした際（図１０参照）、前後医療用カート１０のハンドル部２６が上下に重なり合うため、２台の医療用カート１０のスタッキングが支障なく行える。
【００４２】
また、医療用カート１０の幅広側（前部側）から天板３０上に載置されたノートパソコンＢを操作する際、ノートパソコンＢを操作する手の肘が左右のハンドル部２６に当接するのを防止或いは回避することができる。  
この結果、天板３０上に載置されたノートパソコンＢの操作が支障なく行える（図１参照）。  
また、支柱２２の上端側を、カート本体２０の前部側から後部側に向けて徐々に高くなる曲率半径に湾曲して、該支柱２２の湾曲側上端部にハンドル部２６を設けてもよい。
【００４３】
天板３０は、後述する棚板４０，５０の幅広側と幅狭側とを結ぶ全長より長尺寸法に形成している。また、支持枠２１に立設した支柱２２，２２の間よりも幅狭で、かつ、支持枠２１の外側縁部内に収まる大きさ及び形状、横幅に形成している。また、天板３０の上面には、凹状の収容部３０ａを形成している（図４、図８参照）。  
天板３０の収容部３０ａは、ノート型パーソナルコンピューターＢ（以下、ノートパソコンと略記する）の載置が許容される大きさ及び形状、深さに形成している。
【００４４】
天板３０の枢着側端部３０Ｘは、側面から見て滑らかな円弧形状に形成している。すなわち、該天板３０の枢着側端部３０Ｘに対しスタッキング方向Ａの上流側から当接される天板３０の揺動側端部３０Ｙが上方に向けて突上げられる滑らかな曲面形状に形成している。
【００４５】
天板３０の揺動側端部３０Ｙは、スタッキング方向Ａの上流側から下流側に向けて反り返る弧形状に形成している。  
すなわち、該上流側天板３０の揺動側端部３０Ｙに対しスタッキング方向Ａの下流側から当接される天板３０の枢着側端部３０Ｘ上への乗り上げが許容される滑らかな曲面形状に形成している。
【００４６】
さらに、天板３０の枢着側端部３０Ｘは、図６中実線で示す棚板４０の枢着側端部よりも前方に突出している。また、天板３０の揺動側端部３０Ｙは、図６中実線で示す棚板４０の揺動側端部よりも後方に突出している。  
さらにまた、天板３０の揺動側端部３０Ｙの後端側反り返り部は、図６中実線で示す棚板４０の枢着側端部よりも上位となる高さに形成している。  
なお、天板３０の揺動側端部３０Ｙを、後端側下部から後端側上部に向けて徐々に高くなるように傾斜するテーパー面に形成してもよい。
【００４７】
棚板４０，５０は、天板３０の幅広側と幅狭側とを結ぶ全長より短尺寸法に形成している。また、支持枠２１に立設した支柱２２，２２の間よりも幅狭で、かつ、支持枠２１の外側縁部よりも内側に収まる大きさ及び形状に形成している。また、棚板４０，５０の上面には、凹状の収容部４０ａ，５０ａを形成している（図８参照）。
【００４８】
棚板４０の収容部４０ａは、例えば注射器、体温計、血圧計、輸液器具などの医療器具、或いは、ガーゼ、包帯、綿、消毒薬、薬剤容器、輸液剤容器などの医療用品の収容が許容される大きさ及び形状、深さに形成している。  
棚板５０の収容部５０ａは、例えばガーゼ、包帯、綿等の医療用廃棄物（図示せず）を投入する廃棄物投入袋Ｄの底部側が載置される深さに形成している。
【００４９】
次に、支柱２２に対する天板３０及び棚板４０，５０の取り付け構造を説明する。  
天板３０の幅広側と対応する一端側両側部は、支軸やネジなどの支持部材（図示せず）を用いて、支柱２２の上端側外周面に固定した軸受板２２ａに対して上下回動自在に枢着している。
【００５０】
棚板４０の幅広側と対応する一端側両側部は、支軸やネジなどの支持部材（図示せず）を用いて、支柱２２の中間部外周面に固定した軸受板２２ｂに対し上下回動自在に枢着している。  
天板３０及び棚板４０の幅狭側と対応する他端側両側部は、左右一対の連結支柱２４により一体的に連結している。
【００５１】
連結支柱２４の上端部は、天板３０の両側端部に形成した凹状溝部３１に挿入し、該凹状溝部３１に対し上下回動自在に枢着している。また、連結支柱２４の下端部は、棚板４０の中央両側端部に対し上下回動自在に枢着している。  
これにより、天板３０及び棚板４０を、図６中の実線で示す水平姿勢と、図６中の仮想線で示す傾斜姿勢とに上下揺動可能に設けている。
【００５２】
また、連結支柱２４の上端側は、図１０に示すように、２台の医療用カート１０をスタッキングした際、天板３０の枢着側端部３０Ｘの嵌り込みが許容される曲面形状に幅広側に向けて湾曲している。  
棚板５０の両側部は、ネジやボルトなどの固定部材を用いて、支柱２２と棚受支柱２３に対し一体的に固定している。また、棚板５０の全体は、幅広側から幅狭側に向けて徐々に高くなるように傾斜している（図８参照）。
【００５３】
すなわち、棚板５０は、２台の医療用カート１０をスタッキングした際、上下互い違いに重なり合いが許容される角度に傾斜している（図１０参照）。
【００５４】
また、棚板４０の幅広側と対応する一端側前縁部には、廃棄物投入袋Ｄの口部が係止される一対の袋掛けフック４０ｂを該一端側前縁部に沿って所定間隔を隔てて左右に配置している。  
すなわち、廃棄物投入袋Ｄの口部を開口して、該口部の一側縁部を棚板４０の袋掛けフック４０ｂに対し上方から係止する。また、左右の袋掛けフック４０ｂには、２袋の廃棄物投入袋Ｄの口部をそれぞれ引っ掛けておく。
【００５５】
また、廃棄物投入袋Ｄの底部側は、支持杆２７と棚板４０との間に挿入して、棚板５０の収容部５０ａに予め載置しておく。  
患者に対し医療行為を行った際に発生する医療用廃棄物、すなわち、例えばガーゼ、包帯、綿等の医療用廃棄物を左右の廃棄物投入袋Ｄに対し種類別に分別して投入する。
【００５６】
医療用廃棄物を廃棄物投入袋Ｄ内に投入する際、廃棄物投入袋Ｄの口部を開口する手間及び作業が省ける。また、廃棄物投入袋Ｄに投入された医療用廃棄物の総重量が重くなっても、廃棄物投入袋Ｄの底部側が棚板５０から脱落する心配がない。
【００５７】
したがって、廃棄物投入袋Ｄの口部が袋掛けフック４０ｂから抜け落ちたり、該口部の係止した位置がズレたりすることがなく、廃棄物投入袋Ｄに投入された医療用廃棄物が床に散乱することを防止できる。  
この結果、医療用廃棄物に付着する病原菌が周囲に飛散することがなく、例えばＣ型肝炎、エイズウイルス等の病原菌による２次感染が起きることを防止できる。
【００５８】
次に、２台の医療用カート１０をスタッキングする方法を説明する。  
先ず、図６中左側の実線で示す医療用カート１０の幅狭側と、図６中右側の仮想線で示す医療用カート１０の幅広側とを対向させた後、図中左側及び図中右側の医療用カート１０をスタッキング方向Ａ（前後方向）に相対移動させてスタッキングする（図１０参照）。  
すなわち、図中左側の天板３０の揺動側端部３０Ｙを、図中右側の天板３０の枢着側端部３０Ｘに対しスタッキング方向Ａに向けて水平に当接する。
【００５９】
図中左側の天板３０の揺動側端部３０Ｙを、図中右側の天板３０の枢着側端部３０Ｘに乗り上げさせながら上方に回動する。かつ、図中左側の天板３０の下側に、図中右側の天板３０を潜り込ませる。  
これにより、図中左側の医療用カート１０の天板３０と、図中右側の医療用カート１０の天板３０とを斜めに傾斜した姿勢のまま上下に重なり合わせることができる（図１０参照）。
【００６０】
また、天板３０が上方に向けて回動すると、連結支柱２４にて連結した棚板４０も上方に向けて斜めに傾斜した姿勢に回動される。  
これにより、図中左側及び図中右側の医療用カート１０の棚板４０を斜めに傾斜した姿勢のまま互いに重なり合わせることができる（図１０参照）。
【００６１】
また、図中左側及び図中右側の医療用カート１０の棚板５０も斜めに傾斜した姿勢のまま互いに重なり合わせることができる。  
すなわち、２台の医療用カート１０をスタッキングする際、図中左側の医療用カート１０の天板３０及び棚板４０を上方に向けて斜めに傾斜した姿勢に回動して、図中右側の医療用カート１０の天板３０及び棚板４０の上に重なり合わせるので、２台の医療用カート１０のスタッキングが支障なく行える。
【００６２】
上述と同様にして、３台目、４台目の医療用カート１０をスタッキング方向Ａに対しスタッキングして、１つのカート保管場所に複数台保管するので、医療用カート１０を保管するための保管スペースが小さくて済み、病院内の限られた保管スペース内に一括して保管することができる。
【００６３】
次に、カート保管場所に保管された医療用カート１０を使用する場合、図中左側の医療用カート１０を、図中右側の医療用カート１０から分離される方向に相対移動する。  
図中左側の医療用カート１０を、図中右側の医療用カート１０から分離した際、図中左側の天板３０が、図中右側の天板３０から滑り落ちながら下方に回動する。また、天板３０が下方に向けて回動すると、連結支柱２４にて連結した棚板４０も下方に向けて回動する。
【００６４】
この時、連結支柱２４の下端部が棚受支柱２３の上端部に対し垂直に当接するので、天板３０及び棚板４０が水平姿勢に回動規制される（図６、図７参照）。  
すなわち、医療用カート１０の天板３０及び棚板４０は自重により水平姿勢に回動復帰するので、医療用カート１０の天板３０及び棚板４０を看護婦や利用者の手で水平姿勢に回動する手間及び作業が省け、医療用カート１０を引き出して即使用することができる。
【００６５】
また、連結支柱２４の上下端部を連結した天板３０及び棚板４０の枢着部分が、棚受支柱２３を上方に向けて延長した直線上に位置するので、天板３０及び棚板４０に付加される全重量が、左右の棚受支柱２３によって受け止められる。
【００６６】
これにより、ノートパソコンＢが安定した姿勢に載置されるだけでなく、該ノートパソコンＢより重い載置物を載置することが可能な構造的強度が得られる。また、天板３０が、ノートパソコンＢや医療器具、医療用品等を載置するのに適した安定した姿勢に維持される。
【００６７】
この結果、例えば患者の診察や検査などの検診結果の記録、医療日誌の更新などを記録するノートパソコンＢの操作、或いは、医療器具、医療用品等を取り扱う作業が天板３０上にて安定して行える。
【００６８】
次に、上述の医療用カート１０を用いて、患者の診察や検査、治療などの医療行為を行う方法を説明する。
【００６９】
患者に対する医療行為を病室にて行う際、その医療行為に必要な医療用品として、例えば注射器、輸液器具、薬剤容器、輸液剤容器などの医療用品を医療用カート１０の棚板４０に予め載置しておく。また、患者に関する医療データを記録するためのノートパソコンＢを天板３０に予め載置しておく。
【００７０】
次に、医療用カート１０の左右のハンドル部２６を利用者の手で把持して、上述の医療用品及びノートパソコンＢが載置された医療用カート１０を患者が待機する病室まで人力にて走行移動する。
【００７１】
移動先の病室にて、患者の採血や点滴などを行う場合、棚板４０に載置された注射器を取り出して採血したり、薬剤容器に入った薬剤を注射器にて適量投与したりする。或いは、輸液器具を取り出して輸液剤容器に入った輸液溶剤を適量輸液するなどの医療行為を行うことができる。
【００７２】
また、医療行為を行った際、天板３０上に載置したノートパソコンＢを起動すれば、上述の医療行為を行った患者の傍或いは病室内にて、例えば患者の診察や検査などの検診結果を記録したり、医療日誌の更新などを行うことができる。  
この結果、患者に関する医療記録の記載ミスや記録ミスなどが起きることを防止できる。  
なお、上述の医療記録の書き込みや更新などの作業は、ナースステーションに戻ってから行うこともできる。
【００７３】
すなわち、上述の医療器具や医療用品を医療用カート１０の棚板４０に載置し、ノートパソコンＢを天板３０上に載置しておけば、医療用カート１０を患者が待機する病室に走行移動するだけで、患者に対する医療行為が病室にて即行える。
【００７４】
これにより、ノートパソコンＢや医療器具、医療用品を保管場所まで取りに行ったり、探したりする必要がなく、個々に運搬する手間及び作業が省けるため、利用者に与える負担を軽減することができる。
【００７５】
次に、ノートパソコンＢを外部電源に接続する方法として、巻取り式の電源コード６０を天板３０に内蔵した医療用カート１０の他の例を説明する。  
図１１は電源コード６０を天板３０に設けた医療用カート１０の斜視図である。
【００７６】
電源コード６０は、差込みプラグ６０ａが接続された電源コード６０を巻き取るための巻き取りユニット６０ｂと、外部電源（家庭用のコンセント）から供給される電力をノートパソコンＢが駆動する所定の電圧に変換するためのトランス６０ｃとで構成している。また、巻き取りユニット６０ｂ及びトランス６０ｃは、天板３０の内部に収容している。
【００７７】
天板３０の右側部外面（図１１中の右側）には、電源コード６０の引き出し動作及び巻き取り動作が許容されるコード出入口３０ｂを開口している。  
また、コード出入口３０ｂには、電源コード６０を天板３０の外部に対し引き出し可能に挿入するとともに、電源コード６０に接続された差込みプラグ６０ａを外部電源に対し接続が許容される長さ引き出し可能に保持している。
【００７８】
天板３０の収容部３０ａの揺動側中央上面には、パソコン用コード６０ｄの引き出しが許容されるコード引出し孔３０ｃを天板３０の内部と連通して開口している。  
また、コード引出し孔３０ｃには、パソコン用コード６０ｄを天板３０の外部に対し引き出し可能に挿入するともに、天板３０上に載置されたノートパソコンＢに対し接続が許容される長さ引き出し可能に保持している。パソコン用コード６０ｄは、電気回路（図示せず）を介して電源コード６０に接続している。
【００７９】
すなわち、天板３０のコード出入口３０ｂから所望する長さ引き出した電源コード６０の差込みプラグ６０ａを外部電源（家庭用のコンセント）に接続し、天板３０のコード引出し孔３０ｃから所望する長さ引き出したパソコン用コード６０ｄを、天板３０上に載置されたノートパソコンＢに接続する。
【００８０】
これにより、医療用カート１０を移動した場所に外部電源が存在すれば、その場所にてノートパソコンＢを駆動することができ、例えばカルテの書き込み、医療日誌の更新などをノートパソコンＢにて行うことができる。  
なお、巻き取りユニット６０ｂ及びトランス６０ｃは、天板３０の底面に設けてもよい。
【００８１】
前述の実施形態では、ノートパソコンＢを本体に内蔵されたバッテリー（図示せず）にて駆動するが、図１１の医療用カート１０は、外部電源から供給される電力にてノートパソコンＢを連続して駆動することができるので、バッテリーの残量を気にすることなく、上述の書き込みや更新などの入力作業が円滑に行える。かつ、バッテリーの充電も同時に行える。  
また、電源コード６０が不要な場合、差込みプラグ６０ａを外部電源から抜き取った後、電源コード６０を、天板３０内部に収容された巻き取りユニット６０ｂに巻き取る。
【００８２】
これにより、医療用カート１０の回りで作業する際、或いは、医療用カート１０を所望する場所に走行移動する際、電源コード６０が医療用カート１０に絡み付いたり、電源コード６０が足に引っ掛かったりすることを防止できる。  
また、電源コード６０を、天板３０のコード出入口３０ｂから取り込んで該天板３０の内部に巻き取り収容しておけば、医療用カート１０のスタッキング時において、電源コード６０が邪魔にならず、医療用カート１０のスタッキングが支障なく行える。
【００８３】
さらに、パソコン用コード６０ｄを、天板３０のコード引出し孔３０ｃから所望する長さ引き出して、該天板３０上に載置されたノートパソコンＢに直接接続するので、パソコン用コード６０ｄの引き出し長さが短くて済む。  
このため、パソコン用コード６０ｄを必要以上に弛ませたり、垂れ下げることなく、所望する長さ引き出してノートパソコンＢに接続することができる。  
この結果、天板３０上に配索されるパソコン用コード６０ｄの引き出し長さが短くて済み、パソコン用コード６０ｄの配索によって天板３０上での作業が妨げられることを防止でき、天板３０上を有効に活用することができる。
【００８４】
また、天板３０の左側部外面（図１１中の左側）に、医療器具や医療用品を引っ掛けるためのフック３０ｄを取り付けてもよい（図１１参照）。  
フック３０ｄは、該フック３０ｄの軸部先端に形成した雄ネジ部を、天板３０の左側部外面に捩じ込んで固定している。
【００８５】
医療器具の一例である聴診器Ｅを、フック３０ｄに引っ掛けておけば、医療用カート１０を移動した先の患者の脈拍や血圧を検査する際、聴診器Ｅを取りに行ったり、探したりする必要がなく、聴診器Ｅをフック３０ｄから取り外して即使用することができるので大変便利である。また、不要時には、聴診器Ｅをフック３０ｄに引っ掛けておけば何時でも使用することができる。
【００８６】
なお、ネジ止め式のフック３０ｄに代えて、例えば両面粘着テープ、マグネットなどで固定する市販のフックを、天板３０の左側部外面及び右側部外面のいずれか一方或いは両方に取り付けてもよい。また、聴診器Ｅ以外の医療器具、或いはカルテなどの医療用品を引っ掛けることも可能である。
【００８７】
次に、ウエットティッシュが収容されたティッシュ容器Ｆ、使用済みの注射針を投入する注射針投入容器Ｇなどの容器を保持するための容器保持具７１，７２を支柱２２に取り付けた医療用カート１０の他の例を説明する。  
図１２は容器保持具７１，７２を取り付けた医療用カート１０の正面図、図１３は図１２の医療用カート１０のＣ−Ｃ線矢視断面図である。
【００８８】
ティッシュ容器Ｆを保持する容器保持具７１は、左側支柱２２の外周面に固定した正面から見てＬ字状の容器受け板７１ａと、容器受け板の上端部に固定した上方から見てＣ字状の容器保持板７１ｂとで構成している。
【００８９】
ティッシュ容器Ｆを容器保持具７１にて保持する際、容器保持板７１ｂの開放側両端部を復元力に抗して左右に押し広げながら、該ティッシュ容器Ｆを容器保持板７１ｂの内側に押し込み、該ティッシュ容器Ｆを容器保持板７１ｂの復元力により保持するとともに、該ティッシュ容器Ｆを容器受け板７１ａに載置する。
【００９０】
これにより、看護や診療の際、必要時において、ティッシュ容器Ｆからウエットティッシュを取り出す際、ティッシュ容器Ｆが容器保持具７１から脱落したりせず、所望する枚数だけ取り出して看護や診療などに即使用することができる。
【００９１】
注射針投入容器Ｇを保持する容器保持具７２は、右側支柱２２の外周面に固定したＬ字状の容器受け板７２ａと、容器受け板の上端部に対し上下回動自在に枢着した上方から見て矩形の容器保持枠７２ｂとで構成している。
【００９２】
注射針投入容器Ｇを容器保持具７２にて保持する際、容器保持枠７２ｂを開姿勢（図１２中仮想線で示す）に回動して、注射針投入容器Ｇを口部が上向きとなる姿勢のまま容器受け板７２ａに載置した後、容器保持枠７２ｂを閉平姿勢（図１２中実線で示す）に回動して、注射針投入容器Ｇの口部側を保持する。
【００９３】
これにより、点滴や採血などに使用された使用済みの注射針を注射針投入容器Ｇに投入すれば、使用済みの注射針を、例えば指や手等に誤って突き刺してしまうことを防止することができる。  
この結果、例えばＣ型肝炎、エイズウイルス等の病原菌による２次感染が起きることを防止できる。
【００９４】
また、医療用カート１０の走行時に生じる振動が注射針投入容器Ｇに付与されても、注射針投入容器Ｇが容器保持具７２から脱落するようなことがなく、使用済みの注射針が床に散乱することを防止できる。
【００９５】
また、容器保持具７２の容器受け板７２ａを、支柱２２の軸芯を中心として水平回動自在に取り付けているので、医療用カート１０の走行時において、容器保持具７２に保持した注射針投入容器Ｇが、例えば机や柱、或いは、歩行者などに接触した際、容器保持具７２の全体が支柱２２を中心として水平回動する。このため、注射針投入容器Ｇに付与される衝撃や振動が緩和される。  
この結果、注射針投入容器Ｇが容器保持具７２から脱落するか、使用済みの注射針が床に散乱することを防止できる。
【００９６】
次に、天板３０及び棚板４０を真っ直ぐな短尺の連結支柱２４Ａにて一体的に連結した医療用カート１０の他の例を説明する。図１４は真っ直ぐな短尺の連結支柱２４Ａにて連結した医療用カート１０の右側面図である。  
天板３０及び棚板４０の中央両側部は、天板３０が水平姿勢に支持される長さに形成した真っ直ぐな連結支柱２４Ａにより一体的に連結している。
【００９７】
図中左側の実線で示す医療用カート１０の天板３０の揺動側端部３０Ｙを、図中右側の仮想線で示す医療用カート１０の天板３０の枢着側端部３０Ｘに当接すると、上述の実施形態と同様に、図中左側の天板３０が上方に回動しつつ、図中右側の天板３０に乗り上げて上下に重ね合わされる。  
また、図中左側の天板３０が上方に向けて回動すると、連結支柱２４Ａにて連結した棚板４０も上方に向けて回動される。
【００９８】
これにより、図中左側及び図中右側の医療用カート１０の天板３０及び棚板４０を斜めに傾斜した姿勢のまま互いに重なり合わせて、２台の医療用カート１０をスタッキングすることができる。
【００９９】
２台の医療用カート１０のスタッキングを解除する場合、図中左側の医療用カート１０を、図中右側の医療用カート１０から分離される方向に相対移動させて引き抜いた際、連結支柱２４Ａにて連結した天板３０及び棚板４０が自重により水平姿勢に回動復帰する。  
この時、連結支柱２４Ａの下端部が棚受支柱２３の上端部に対し垂直に当接し、天板３０及び棚板４０が水平姿勢に支持される。
【０１００】
この結果、医療用カート１０を保管するための保管スペースが小さくなるだけでなく、ノートパソコンＢを載置した際、天板３０に付加される全重量が左右の棚受支柱２３によって受け止められるので、前記実施形態と略同等の作用及び効果を奏することができる。
【０１０１】
次に、天板３０及び棚板４０，５０を真っ直ぐな長尺の連結支柱２４Ｂにて連結した医療用カート１０の他の例を説明する。図１５は真っ直ぐな長尺の連結支柱２４Ｂにて連結した医療用カート１０の右側面図である。  
天板３０及び棚板４０，５０の中央両側部は、天板３０が水平姿勢に支持される長さに形成した真っ直ぐな長尺の連結支柱２４Ｂにて一体的に連結している。
【０１０２】
図中左側の実線で示す医療用カート１０の天板３０の遊端側後端部３０Ｙを、図中右側の仮想線で示す医療用カート１０の天板３０の枢着側端部３０Ｘに当接すると、上述の実施形態と同様に、図中左側の天板３０が上方に回動しつつ、図中右側の天板３０に乗り上げて上下に重ね合わされる。  
これにより、図中左側及び図中右側の医療用カート１０の天板３０及び棚板４０を斜めに傾斜した姿勢のまま互いに重なり合わせて、２台の医療用カート１０をスタッキングすることができる。
【０１０３】
２台の医療用カート１０のスタッキングを解除する場合、図中左側の医療用カート１０を、図中右側の医療用カート１０から分離される方向に相対移動させて引き抜いた際、連結支柱２４Ｂにて連結した天板３０及び棚板４０，５０が自重により水平姿勢に回動復帰する。  
この時、連結支柱２４Ｂの下端部が支持枠２１の左右端部上面に対し垂直に当接し、天板３０及び棚板４０，５０が水平姿勢に支持される。
【０１０４】
この結果、医療用カート１０を保管するための保管スペースが小さくなるだけでなく、ノートパソコンＢを載置した際、天板３０に付加される全重量が左右の連結支柱２４Ｂによって受け止められるので、前記実施形態と略同等の作用及び効果を奏することができる。
【０１０５】
次に、天板３０のみを上下回動自在に設けた医療用カート１０の他の例を説明する。図１６は天板３０のみを上下回動自在に設けた医療用カート１０の右側面図である。  
天板３０は、左右の支柱２２に対し上下回動自在に枢着している。その枢着構造は、上述の実施形態と同一の構成は、同一の符号を記してその詳細な説明を省略する。
【０１０６】
棚板４０，５０は、左右の支柱２２と、天板３０が水平姿勢に支持される長さに形成した左右の棚受支柱２３Ｃとの間に対し固定している。また、棚板４０，５０は、２台の医療用カート１０をスタッキングする際、上下互い違いに重なり合いが許容される角度に傾斜している。
【０１０７】
図中左側の実線で示す医療用カート１０の天板３０の揺動側端部３０Ｙを、図中右側の仮想線で示す医療用カート１０の天板３０の枢着側端部３０Ｘに当接すると、上述の実施形態と同様に、図中左側の天板３０が上方に回動しつつ、図中右側の天板３０に乗り上げて上下に重ね合わされる。  
これにより、２台の医療用カート１０をスタッキングすることができる。
【０１０８】
２台の医療用カート１０のスタッキングを解除する場合、図中左側の医療用カート１０を、図中右側の医療用カート１０から分離される方向に相対移動させて引き抜いた際、天板３０のみが自重により水平姿勢に回動復帰する。  
この時、天板３０の凹状溝部３１に固定した当接部材３２が棚受支柱２３Ｃの上端部に対し垂直に当接するので、天板３０が水平姿勢に支持される。
【０１０９】
この結果、医療用カート１０を保管するための保管スペースが小さくなるだけでなく、ノートパソコンＢを載置した際、天板３０に付加される全重量が左右の棚受支柱２３Ｃによって受け止められるので、前記実施形態と略同等の作用及び効果を奏することができる。
【０１１０】
次に、２台の医療用カート１０をスタッキング状態に保持する方法を説明する。図１７は、凸状の係止部３３と凹状の収容部３０ａとによってスタッキング状態を保持する医療用カート１０の拡大右側面図である。
【０１１１】
図示の医療用カート１０は、天板３０の底面側中央部に、スタッキング状態を保持する大きさ及び形状の係止部３３を形成している。また、係止部３３は、天板３０の枢着側から揺動側に向けて徐々に低くなるように形成するとともに、スタッキング方向Ａの下流側から当接される図中右側の天板３０の収容部３０ａに対し係合可能に形成している。
【０１１２】
すなわち、左右の医療用カート１０をスタッキング方向Ａに相対移動させてスタッキングした際、図中左側の天板３０に形成した係止部３３が、図中右側の天板３０に形成した収容部３０ａの枢着側内縁部に係止されるとともに、その係止部３３と収容部３０ａとの係合力によって、左右２台の医療用カート１０がスタッキング状態に保持される（図１７参照）。
【０１１３】
また、スタッキング状態の医療用カート１０を分離する場合、マグネット３４の吸着力に抗して、左右の医療用カート１０をスタッキングが解除される方向へ相対移動させ、図中左側の天板３０に形成した係止部３３を、図中右側の天板３０に形成した収容部３０ａから離脱すれば、係止部３３と収容部３０ａとの係合が解除されるので、左右の医療用カート１０を簡単に分離することができる。したがって、必要とする台数の医療用カート１０を即使用することができる。
【０１１４】
これにより、左右２台の医療用カート１０をスタッキングした際、そのスタッキング状態が勝手に解除され、２台の医療用カート１０が前後に分離してしまうことを防止できる。
【０１１５】
この結果、スタッキング状態の医療用カート１０を看護婦や利用者の手で分離するまでは、スタッキング状態を維持したまま長期に亘り保管しておくことができる。
【０１１６】
図１８は、マグネット３４と金属板３５との吸着によってスタッキング状態を保持する医療用カート１０の拡大右側面図である。  
図示の医療用カート１０は、天板３０の枢着側底面部に形成した突出部３０ｅの斜面に、スタッキング状態を保持する磁力に励磁されたマグネット３４を取り付けている。また、マグネット３４は、スタッキング方向Ａの下流側から当接される図中右側の天板３０の枢着側端部３０Ｘに取り付けた金属板３５と対向して取り付けている。
【０１１７】
また、天板３０の枢着側端部３０Ｘの外面には、上述のマグネット３４により吸着可能な金属板３５を取り付けている。また、金属板３５は、スタッキング方向Ａの上流側（図中左側）から当接される図中左側の天板３０の突出部３０ｅに取り付けた金属板３５と対向して取り付けている。
【０１１８】
すなわち、左右の医療用カート１０をスタッキング方向Ａに相対移動させてスタッキングした際、図中左側の天板３０に取り付けたマグネット３４が、図中右側の天板３０に取り付けた金属板３５に対し押し付けられるとともに、そのマグネット３４の吸着力によって、２台の医療用カート１０がスタッキング状態に保持される（図１８参照）。
【０１１９】
また、スタッキング状態の医療用カート１０を分離する場合、マグネット３４の吸着力に抗して、左右の医療用カート１０をスタッキングが解除される方向へ相対移動させ、図中左側の天板３０に取り付けたマグネット３４を、図中右側の天板３０に取り付けた金属板３５から分離すれば、マグネット３４と金属板３５との吸着が解除されるので、左右の医療用カート１０を簡単に分離することができる。  
この結果、前記実施形態と略同等の作用及び効果を奏することができる。
【０１２０】
なお、スタッキング保持手段の他の例として、例えば係止爪やフックを、天板３０の枢着側上縁部に係止するか、収容部３０ａの枢着側内縁部に係止する等してもよい。或いは、ベルトやロープ等の拘束具を用いて、複数台の医療用カート１０…をスタッキング状態に拘束しておくことも可能である。
【０１２１】
この発明の構成と、前記実施形態との対応において、  
この発明の支持部材は、実施形態の支持枠２１及び棚受支柱２３，２３Ｃに対応し、  
以下同様に、  
連結部材は、連結支柱２４，２４Ａ，２４Ｂに対応し、  
コードは、パソコン用コード６０ｄに対応し、  
スタッキング保持手段は、収容部３０ａ及び係止部３３と、マグネット３４及び金属板３５に対応し、  
電気製品は、ノートパソコンＢに対応するも、  
この発明は、上述の実施形態の構成のみに限定されるものではなく、請求項に示される技術思想に基づいて応用することができ、多くの実施の形態を得ることができる。
【０１２２】
本実施形態では、２台の医療用カート１０をスタッキング方向Ａに移動させてスタッキングする例を説明したが、スタッキング方向Ａに対し逆の方向に移動させてもスタッキングすることが可能である。
【符号の説明】
【０１２３】
１０…医療用カート
２０…カート本体
２１…支持枠
２２…支柱
２３，２３Ｃ…棚受支柱
２４，２４Ａ，２３Ｂ…連結支柱
２５…キャスター
２６…ハンドル部
３０…天板
３０ａ…収容部
３０Ｘ…枢着側端部
３０Ｙ…揺動側端部
３３…係止部
３４…マグネット
３５…金属板
４０，５０…棚板
４０ｂ…袋掛けフック
６０…電源コード
７１，７２…容器保持具
Ｂ…ノートパソコン
Ｄ…廃棄物投入袋
Ｅ…聴診器
Ｆ…ティッシュ容器
Ｇ…注射針投入容器
【図１】
0005717488.tif 000002
【図２】
0005717488.tif 000003
【図３】
0005717488.tif 000004
【図４】
0005717488.tif 000005
【図５】
0005717488.tif 000006
【図６】
0005717488.tif 000007
【図７】
0005717488.tif 000008
【図８】
0005717488.tif 000009
【図９】
0005717488.tif 000010
【図１０】
0005717488.tif 000011
【図１１】
0005717488.tif 000012
【図１２】
0005717488.tif 000013
【図１３】
0005717488.tif 000014
【図１４】
0005717488.tif 000015
【図１５】
0005717488.tif 000016
【図１６】
0005717488.tif 000017
【図１７】
0005717488.tif 000018
【図１８】
0005717488.tif 000019